(57)【要約】【課題】吹き出し口から吹き出す風量を増大させた火吹き筒を提供する。【解決手段】被着火材料に空気を供給して火を吹きおこすのに用いる火吹き筒１１であって、該火吹き筒１１は、所要長さの筒体で、一端に息の吹き込み口１２を有し、他端に吹き出し口１３を有しており、該吹き出し口１３から所定長さ筒内に入った内周面２１に沿った部位には、空気の流れを阻害する節部１４を設け、該節部１４の中央部には小孔１５が形成され、該節部１４の近傍の吹き出し口１３寄りの部位には、筒外から空気を流入させる空気流入孔１６を形成した。【選択図】図１
2014092313.tif 000002
【特許請求の範囲】
【請求項１】
被着火材料に空気を供給して火を吹きおこすのに用いる火吹き筒であって、
該火吹き筒は、所要長さの筒体で、一端に息の吹き込み口を有し、他端に吹き出し口を有しており、
該吹き出し口から所定長さ筒内に入った内周面に沿った部位には、空気の流れを阻害する節部を設け、
該節部の中央部には小孔が形成され、
該節部の近傍の前記吹き出し口寄りの部位には、筒外から空気を流入させる空気流入孔を形成したこと
を特徴とする火吹き筒。
【請求項２】
前記吹き込み口から息を吹き込んだときに、前記小孔から前記吹き出し口の間に渡って空気流路が形成されると共に、該空気流路と前記空気流入孔との間に減圧領域が形成され、該減圧領域に前記空気流入孔から空気が流入し、該空気が前記吹き出し口から吹き出す構成であること
を特徴とする請求項１に記載の火吹き筒。
【発明の詳細な説明】
【技術分野】
【０００１】
本発明は、被着火材料に空気を供給して火を吹きおこすための火吹き筒に関するものであり、更に詳しくは、吹き出し口から吹き出す風量を増大させた火吹き筒に関するものである。
【背景技術】
【０００２】
従来、火を吹きおこすのに用いる器具としては、次のような構成の火吹き竹が知られている。この火吹き竹は、長さが約３０〜６０cm程度の竹筒からなり、一端に息の吹き込み口を有し、他端に節を残しており、この節の中央部に小孔が形成されている（特許文献１参照）。
【０００３】
このような構成の火吹き竹は、吹き込み口から息を吹き込んで、小孔から空気を勢いよく吹き出して使用し、例えばキャンプ場のかまど等で、炭や薪等の被着火材料に空気（酸素）を供給して火を吹きおこすのに用いる。
【先行技術文献】
【特許文献】
【０００４】
【特許文献１】実開平５−３５８３９号公報（図１）
【発明の概要】
【発明が解決しようとする課題】
【０００５】
この従来例の火吹き竹においては、吹き込み口から息を吹き込んだ空気の量だけが、小孔から吹き出す風量であり、吹き出し量が限られるので、空気の供給効率が低いという欠点を有している。
【０００６】
一方、空気を供給するための器具としては、ふいごが知られているが、ふいごは、器具が大きくなって重量も嵩み、キャンプ場等の野外に持ち運ぶのには適さないという欠点がある。
【０００７】
従って、従来例における火吹き竹においては、小孔から吹き出す風量を、吹き込んだ息の量以上に増大させて、空気の供給を効率的に行うことに解決しなければならない課題を有している。
【課題を解決するための手段】
【０００８】
前記従来例の課題を解決する具体的手段として本発明は、被着火材料に空気を供給して火を吹きおこすのに用いる火吹き筒であって、該火吹き筒は、所要長さの筒体で、一端に息の吹き込み口を有し、他端に吹き出し口を有しており、該吹き出し口から所定長さ筒内に入った内周面に沿った部位には、空気の流れを阻害する節部を設け、該節部の中央部には小孔が形成され、該節部の近傍の前記吹き出し口寄りの部位には、筒外から空気を流入させる空気流入孔を形成したことを特徴とする火吹き筒を提供するものである。
【０００９】
また、前記吹き込み口から息を吹き込んだときに、前記小孔から前記吹き出し口の間に渡って空気流路が形成されると共に、該空気流路と前記空気流入孔との間に減圧領域が形成され、該減圧領域に前記空気流入孔から空気が流入し、該空気が前記吹き出し口から吹き出す構成であること、；
を含むものである。
【発明の効果】
【００１０】
本発明に係る火吹き筒は、吹き込み口から息（空気）を吹き込んだときに、小孔から吹き出した息（空気）が周囲の空気を抱え込んで付勢されると共に、小孔から吹き出し口の間に渡って空気流路が形成される。そして、空気流路と空気流入孔との間に瞬時に減圧（負圧）領域が形成され、減圧（負圧）領域に空気流入孔から外部の空気が流入し、この空気が吹き出し口から吹き出す。従って、吹き込んだ息の量以上に増大した空気が吹き出し口から吹き出すこととなり、空気の供給が効率的に行えるという優れた効果を奏する。
【図面の簡単な説明】
【００１１】
【図１】本発明に係る火吹き筒１１の正面図である。
【図２】図１のＡ−Ａ線断面図である。
【図３】火吹き筒１１の内部の空気の流れを略示的に示す断面図である。
【発明を実施するための形態】
【００１２】
次に、本発明の実施の形態について図面を参照しながら説明する。まず、図１において、符号１１は火吹き筒を示し、この火吹き筒１１は、所要長さの筒体で、一端に息の吹き込み口１２を有し、他端に空気の吹き出し口１３を有している。
【００１３】
火吹き筒１１は、金属製、例えばアルミ製であって、パイプ形状に形成されており、その長さは約３０〜６０cm程度であり、直径は約１〜４cm程度である。
【００１４】
火吹き筒１１の材質は、金属製以外には、合成樹脂製、木製、竹製、あるいは厚紙製等であっても構わないが、剛性を有して、多少の耐火性を備えていることが望ましい。
【００１５】
吹き出し口１３から所定長さ、例えば約４〜１０cm程度筒内に入った内周面２１に沿った部位には、図１及び図２に示すように、筒内部を閉塞する状態で節部１４が設けられている。この節部１４は、空気の流れを阻害する役目を果たす。節部１４の中央部には、約１mm程度の小孔１５が形成されている。
【００１６】
節部１４の近傍の吹き出し口１３寄りの部位、換言すれば、当該吹き出し口１３から約３〜９cm程度筒内に入った部位には、図１及び図３に示すように、筒の外周に沿って空気流入孔１６が形成されている。この空気流入孔１６は、適宜の大きさであって、筒の外周に沿って複数箇所、望ましくは３箇所程度設けるのがよい。
【００１７】
このような火吹き筒１１は、吹き込み口１２から息（空気）２０を吹き込んだときに、小孔１５から吹き出した息（空気）２０が周囲の空気を抱え込んで付勢されると共に、小孔１５から吹き出し口１３の間に渡って空気流路１７が形成される。そして、空気流路１７と空気流入孔１６との間に瞬時に減圧（負圧）領域１８が形成されて、減圧（負圧）領域１８に空気流入孔１６から外部の空気１９が流入し、この空気１９が吹き出し口１３から吹き出す構成である（図３参照）。
【００１８】
以上のように構成される火吹き筒１１は、空気流入孔１６から減圧（負圧）領域１８に外部の空気１９が流入して、その空気１９が吹き出し口１３から吹き出すので、吹き込んだ息２０の量以上に増大した空気１９が吹き出し口１３から吹き出すこととなり、空気の供給が効率的に行えるのである（図３参照）。
【符号の説明】
【００１９】
１１  火吹き筒
１２  吹き込み口
１３  吹き出し口
１４  節部
１５  小孔
１６  空気流入孔
１７  空気流路
１８  減圧（負圧）領域
１９  外部の空気
２０  息（空気）
２１  内周面
【図１】
2014092313.tif 000003
【図２】
2014092313.tif 000004
【図３】
2014092313.tif 000005